(57)【要約】 【課題】ユーザの読影時の作業の利便性を向上する。【解決手段】モダリティ５は、医用画像データを生成しデータ管理サーバ２に送信する。データ管理サーバ２は、受信した医用画像データの参照可否情報を設定し、医用画像データを参照可否情報と関連付けて医用画像ＤＢ３に記憶させる。また、データ管理サーバ２は、医用画像データの参照可否情報に基づき、クライアント４に送信する医用画像データを抽出する。【選択図】図１
2008295947.tif 000002
【特許請求の範囲】
【請求項１】
医用画像データを記憶する記憶手段と、
前記医用画像データに対するユーザの参照の可否を指定する指定手段と、
前記指定手段による指定に基づき、前記医用画像データに対するユーザの参照の可否を示す参照可否情報を設定する設定手段と、
前記医用画像データと前記参照可否情報とを関連付けて前記記憶手段に記憶させる記憶制御手段と、
前記参照可否情報に基づき、当該参照可否情報に関連付けられた医用画像データに対するユーザの参照の可否を制御する参照制御手段と、
を備える医用画像処理装置。
【請求項２】
医用画像データの記憶と管理を行う医用画像管理装置とデータ通信可能に接続されている医用画像処理装置であって、
前記医用画像データに対するユーザの参照の可否を指定する指定手段と、
前記指定手段による指定に基づき、前記医用画像データに対するユーザの参照の可否を示す参照可否情報を設定する設定手段と、
前記医用画像データと前記参照可否情報とを関連付けて前記医用画像管理装置に送信する送信制御手段と、
を備える医用画像処理装置。
【請求項３】
前記医用画像データは、付帯情報と実画像データとを含み、
前記設定手段は、前記参照可否情報を前記付帯情報中の情報として設定する、
請求項１又は２に記載の医用画像処理装置。
【請求項４】
前記医用画像データは、ＤＩＣＯＭ規格に則った医用画像データであり、
前記設定手段は、前記参照可否情報をＤＩＣＯＭ規格のＧＳＰＳとして設定する、
請求項１〜３の何れか一項に記載の医用画像処理装置。
【請求項５】
コンピュータを、
医用画像データを記憶する記憶手段、
前記医用画像データに対するユーザの参照の可否を指定する指定手段、
前記指定手段による指定に基づき、前記医用画像データに対するユーザの参照の可否を示す参照可否情報を設定する設定手段、
前記医用画像データと前記参照可否情報とを関連付けて前記記憶手段に記憶させる記憶制御手段、
前記参照可否情報に基づき、当該参照可否情報に関連付けられた医用画像データに対するユーザの参照の可否を制御する参照制御手段、
として機能させるためのプログラム。
【請求項６】
医用画像データの記憶と管理を行う医用画像管理装置とデータ通信可能に接続されているコンピュータを、
前記医用画像データに対するユーザの参照の可否を指定する指定手段、
前記指定手段による指定に基づき、前記医用画像データに対するユーザの参照の可否を示す参照可否情報を設定する設定手段、
前記医用画像データと前記参照可否情報とを関連付けて前記医用画像管理装置に送信する送信制御手段、
として機能させるためのプログラム。
【発明の詳細な説明】
【技術分野】
【０００１】
本発明は、医用画像データを処理する医用画像処理装置及びプログラムに関する。
【背景技術】
【０００２】
近年、医療の分野において、患者を撮影した医用画像はデジタル化して扱われている。具体的には、ＣＲ（Computed Radiography）装置やＣＴ（Computed Tomography）装置、ＭＲＩ（Magnetic Resonance Imaging）装置等の医用画像生成装置（以下、「モダリティ」と称す）を用いて、デジタル画像データ（以下、「医用画像データ」と称す）を生成する。そして生成された医用画像データは、ＰＡＣＳ（Picture Archiving and Communication System for medical application）と呼ばれるシステムで記憶管理されている。
【０００３】
医用画像データは、ＤＩＣＯＭ（Digital Imaging and Communication in Medicine）規格に準拠したデータ形式で、患者情報や検査情報を含む付帯情報と実画像データとから成る。ＤＩＣＯＭとは、医用画像の通信及び保存フォーマットに関する標準規格であり、この規格に準拠することで、異なる医療機器間での相互通信性が確保される。
【０００４】
ところで、近年のヘリカルＣＴ等は大量の医用画像データを生成するが、その全てが読影医による読影の対象となるわけではない。そのため、モダリティにより生成された医用画像データをＰＡＣＳに記憶させる際、技師等のユーザが検像操作を行うことを可能にするシステムが開発されている（特許文献１参照）。ここで、検像操作とは、ユーザがモダリティにより生成された医用画像データの中から読影に適した医用画像データを指定し、ＰＡＣＳに記憶させるための操作である。
【特許文献１】特開２００５−２２４４７３号公報
【発明の開示】
【発明が解決しようとする課題】
【０００５】
しかし、特許文献１の技術では、ユーザが、検像操作により読影に適した医用画像データを指定してＰＡＣＳに記憶させるため、全ての医用画像データがＰＡＣＳに記憶されるわけではない。そのため、ＰＡＣＳに記憶されている医用画像データを参照して読影を行う読影医等のユーザは、検像操作により指定されなかった医用画像データを参照することができず不便であった。
【０００６】
また、検像操作を行わずに全ての医用画像データをＰＡＣＳに記憶させた場合、ユーザが読影時に手作業で読影に適した医用画像データを指定する必要があり、ユーザによる読影時の作業が煩雑であった。
【０００７】
本発明は、上述したような課題に鑑みて為されたものであり、その目的とするところは、ユーザの読影時の作業の利便性を向上し得る医用画像処理装置及びプログラムを提供することである。
【課題を解決するための手段】
【０００８】
上記の課題を解決するために、請求項１に記載の医用画像処理装置は、
医用画像データを記憶する記憶手段と、
前記医用画像データに対するユーザの参照の可否を指定する指定手段と、
前記指定手段による指定に基づき、前記医用画像データに対するユーザの参照の可否を示す参照可否情報を設定する設定手段と、
前記医用画像データと前記参照可否情報とを関連付けて前記記憶手段に記憶させる記憶制御手段と、
前記参照可否情報に基づき、当該参照可否情報に関連付けられた医用画像データに対するユーザの参照の可否を制御する参照制御手段と、
を備える。
【０００９】
請求項２に記載の医用画像処理装置は、
医用画像データの記憶と管理を行う医用画像管理装置とデータ通信可能に接続されている医用画像処理装置であって、
前記医用画像データに対するユーザの参照の可否を指定する指定手段と、
前記指定手段による指定に基づき、前記医用画像データに対するユーザの参照の可否を示す参照可否情報を設定する設定手段と、
前記医用画像データと前記参照可否情報とを関連付けて前記医用画像管理装置に送信する送信制御手段と、
を備える。
【００１０】
請求項３に記載の発明は、請求項１又は２に記載の発明において、
前記医用画像データは、付帯情報と実画像データとを含み、
前記設定手段は、前記参照可否情報を前記付帯情報中の情報として設定する。
【００１１】
請求項４に記載の発明は、請求項１〜３の何れか一項に記載の発明において、
前記医用画像データは、ＤＩＣＯＭ規格に則った医用画像データであり、
前記設定手段は、前記参照可否情報をＤＩＣＯＭ規格のＧＳＰＳとして設定する。
【００１２】
請求項５に記載のプログラムは、
コンピュータを、
医用画像データを記憶する記憶手段、
前記医用画像データに対するユーザの参照の可否を指定する指定手段、
前記指定手段による指定に基づき、前記医用画像データに対するユーザの参照の可否を示す参照可否情報を設定する設定手段、
前記医用画像データと前記参照可否情報とを関連付けて前記記憶手段に記憶させる記憶制御手段、
前記参照可否情報に基づき、当該参照可否情報に関連付けられた医用画像データに対するユーザの参照の可否を制御する参照制御手段、
として機能させる。
【００１３】
請求項６に記載のプログラムは、
医用画像データの記憶と管理を行う医用画像管理装置とデータ通信可能に接続されているコンピュータを、
前記医用画像データに対するユーザの参照の可否を指定する指定手段、
前記指定手段による指定に基づき、前記医用画像データに対するユーザの参照の可否を示す参照可否情報を設定する設定手段、
前記医用画像データと前記参照可否情報とを関連付けて前記医用画像管理装置に送信する送信制御手段、
として機能させる。
【発明の効果】
【００１４】
請求項１、２、５及び６に記載の発明によれば、ユーザの読影時の作業の利便性を向上することができる。
【００１５】
請求項３に記載の発明によれば、参照可否情報を医用画像データと別に生成する必要が無いため、医用画像データと参照可否情報との関連付けが容易になる。
【００１６】
請求項４に記載の発明によれば、参照可否情報の汎用性が高くなり、例えば、ベンダの異なるＰＡＣＳ間において医用画像データの送受信が行われた場合においても、参照可否情報に基づいて医用画像データの参照を制御することができる。
【発明を実施するための最良の形態】
【００１７】
[第１の実施の形態]
以下、本発明の第１の実施の形態について、図１〜図８を参照して詳細に説明する。
【００１８】
[システム構成]
図１は、医用画像管理システムであるＰＡＣＳ１とモダリティ５とのシステム構成の一例を示すブロック図である。ＰＡＣＳ１は、クライアント４、データ管理サーバ２及び医用画像ＤＢ３を備えて構成されている。また、クライアント４、データ管理サーバ２及びモダリティ５は、データ通信可能に通信ネットワークＮを介して接続されている。そして、医用画像ＤＢ３は、データ管理サーバ２とデータ通信可能に接続されている。
【００１９】
モダリティ５は、患者を撮影し、医用画像データを生成する医用画像生成装置である。医用画像生成装置としては、ＣＲ装置、ＣＴ装置、ＭＲＩ装置等が挙げられ、様々な種類の医用画像生成装置が適用可能である。モダリティ５は、生成した医用画像データを医用画像ＤＢ３に記憶させるためにデータ管理サーバ２に送信する。
【００２０】
医用画像ＤＢ３は、大容量メモリを備えて構成され、医用画像データを蓄積記憶する。データ管理サーバ２は、モダリティ５から送信された医用画像データを医用画像ＤＢ３に記憶させる。また、クライアント４からの要求に応じて、医用画像データを医用画像ＤＢ３から読み出して、要求元のクライアント４に送信する。
【００２１】
データ管理サーバ２は、医用画像ＤＢ３に記憶されている医用画像データの付帯情報の変更を行う。また、モダリティ５から受信した医用画像データの付帯情報の設定を行い、医用画像ＤＢ３に当該医用画像データを記憶させる。更に、クライアント４からの要求に応じて、医用画像ＤＢ３に記憶されている医用画像データの付帯情報等の変更も行う。
【００２２】
クライアント４は、医用画像データの表示等を行う医用画像表示装置である。クライアント４は、医用画像ＤＢ３に記憶されている医用画像データを取得する要求（画像取得要求信号）をデータ管理サーバ２に送信し、データ管理サーバ２から医用画像データを受信し表示する。また、当該医用画像データの付帯情報を変更する要求をデータ管理サーバ２に送信する。
【００２３】
図２に医用画像データＤ１のデータ構成を示す。医用画像データＤ１は、付帯情報Ｄ２と実画像データＤ３とから構成される。そして、付帯情報Ｄ２は、患者情報Ｄ４、検査情報Ｄ５、シリーズ情報Ｄ６及び参照可否情報Ｄ７等から構成される。
【００２４】
ここで、患者情報Ｄ４とは、検査対象の患者を識別するための患者ＩＤ、氏名、性別等の項目を有するデータである。また、検査情報Ｄ５とは、医用画像の検査（撮影）に用いるモダリティの情報、撮影の方法、撮影部位の情報、撮影方向の情報、検査ＩＤ等の項目を有するデータである。
【００２５】
シリーズ情報Ｄ６は、医師がオーダリングした一つの検査で撮影される複数の医用画像データをシリーズ毎にグループ化するデータであり、当該シリーズを識別するユニークなシリーズＩＤやモダリティの種別、当該シリーズ内における各医用画像データＤ１の画像番号等が含まれる。
【００２６】
参照可否情報Ｄ７とは、医用画像データＤ１に対するユーザの参照の可否を示す情報であり「ＯＮ」又は「ＯＦＦ」の何れかの値をとるフラグである。参照可否情報Ｄ７が「ＯＮ」の場合、医用画像データＤ１に対するユーザの参照を可能とし、「ＯＦＦ」の場合、医用画像データＤ１に対するユーザの参照を不可とする。ここで、「医用画像データに対するユーザの参照」とは、診断医や読影医等のユーザが、診断や読影のために医用画像データＤ１を参照することである。
【００２７】
「医用画像データに対するユーザの参照」を可能とするために、例えば、本実施の形態においては、データ管理サーバ２が医用画像ＤＢ３から医用画像データＤ１を読み出してクライアント４に当該医用画像データＤ１を送信し、クライアント４が当該医用画像データＤ１を表示部に表示することが必要である。
【００２８】
参照可否情報Ｄ７は付帯情報Ｄ２の空き領域に設定される。参照可否情報Ｄ７を付帯情報Ｄ２の一部の情報とすることにより、医用画像データと参照可否情報とを関連付ける。
【００２９】
尚、医用画像データＤ１がＤＩＣＯＭ規格に則っている場合、ＤＩＣＯＭ規格のＧＳＰＳ（Grayscale Softcopy Presentation State）を参照可否情報Ｄ７として使用してもよい。ＤＩＣＯＭ規格のＧＳＰＳを参照可否情報Ｄ７として使用すると、ベンダの異なるＰＡＣＳ１間において、または、ベンダの異なる装置間において、参照可否情報Ｄ７に基づいて医用画像データＤ１の参照を制御することが可能となる。
【００３０】
また、参照可否情報を医用画像データＤ１とは別の情報とし、各医用画像データＤ１を特定する情報（例えば、「患者ＩＤ」と「検査ＩＤ」と「シリーズＩＤ」と「画像番号」）を参照可否情報に含めることにより、医用画像データＤ１と参照可否情報とを関連付けてもよい。
【００３１】
データ管理サーバ２は、ユーザによる入力部からの参照可否の指定に基づき、参照可否情報Ｄ７を設定し、モダリティ５から受信した医用画像データＤ１の中に含めて医用画像ＤＢ３に記憶させる。
【００３２】
また、データ管理サーバ２は、医用画像ＤＢ３に記憶された医用画像データＤ１中の参照可否情報Ｄ７に基づいて、クライアント４に送信する医用画像データＤ１を抽出して送信する。この処理によりクライアント４側のユーザの参照の可否が制御されることとなる。詳しくは後述する。
【００３３】
[データ管理サーバ]
図３にデータ管理サーバ２の機能構成を示す。データ管理サーバ２は、ＣＰＵ２０、入力部２１、表示部２２、通信部２３、ＲＡＭ２４及び記憶部２５を備えて構成されている。また、各機能部はバス２６により接続されている。
【００３４】
ＣＰＵ２０は、各機能部の動作の制御と、機能部間のデータ入出力の制御等を行うことでデータ管理サーバ２を統括的に管理・制御する。具体的には、入力部２１から入力される操作信号に応じて記憶部２５に格納されたプログラムをＲＡＭ２４に読み出し、当該プログラムに従った処理を実行する。そしてその処理結果に基づいて、表示部２２の表示画面の更新や記憶部２５へのデータの記憶、通信部２３を介した外部機器とのデータ通信等を行う。
【００３５】
ＣＰＵ２０は、医用画像データＤ１の医用画像ＤＢ３への出力や医用画像ＤＢ３からの読み出し、医用画像データＤ１の付帯情報Ｄ２の設定等の処理を行う。また、医用画像ＤＢ３から読み出した医用画像データＤ１の参照可否情報Ｄ７に基づいて、クライアント４に送信する医用画像データＤ１の抽出処理を行う。具体的には、参照可否情報Ｄ７が「ＯＮ」の場合は抽出し、「ＯＦＦ」の場合は抽出しない。
【００３６】
更に、ＣＰＵ２０は、医用画像データＤ１の付帯情報Ｄ２に含まれる参照可否情報Ｄ７の設定を行う。具体的には、技師等のユーザによる入力部２１からの参照可否の指定に基づいて、モダリティ５から受信した医用画像データＤ１の参照可否情報Ｄ７の設定を行う。また、クライアント４から受信する変更要求情報Ｄ１６（図８参照）に基づいて、医用画像ＤＢ３に記憶されている医用画像データＤ１の参照可否情報Ｄ７の再設定を行う。
【００３７】
入力部２１は、カーソルキー、数字入力キー及び各種機能キー等を備えてキーボードと、マウス等のポインティングデバイスを備えて構成され、キーボードで押下操作されたキーの押下信号とマウスによる操作信号とを、入力信号としてＣＰＵ２０に出力する。
【００３８】
表示部２２は、例えば、ＣＲＴ（Cathode Ray Tube）やＬＣＤ（Liquid Crystal Display）等のモニタを備えて構成されており、ＣＰＵ２０から入力される表示信号の指示に従って、各種画面を表示する。技師等のユーザは、表示部２２に表示される医用画像データＤ１の付帯情報Ｄ２や実画像データＤ３を参照して検像操作を行う。
【００３９】
具体的には、表示部２２は、モダリティ５から受信した医用画像データＤ１を表示する。そして、技師等のユーザは、表示された医用画像データＤ１を参照し、キーボードやマウスを押下して診断に必要な医用画像データＤ１を指定する。この押下による操作信号に基づき、ＣＰＵ２０は、モダリティ５から受信した医用画像データＤ１の付帯情報Ｄ２に含まれる参照可否情報Ｄ７のフラグを「ＯＮ」又は「ＯＦＦ」に設定する。
【００４０】
通信部２３は、ネットワークインターフェース等により構成され、通信ネットワークＮに接続された外部機器との間でデータの送受信を行う。
【００４１】
ＲＡＭ２４は、半導体素子等により構成される。ＲＡＭ２４は、データの読み書きを電気的に行い、ＣＰＵ２０からの直接のアクセスが可能である。
【００４２】
記憶部２５は、ＨＤＤ（Hard Disk）や半導体の不揮発性メモリ等により構成される。記憶部２５には、ＣＰＵ２０で実行されるシステムプログラム等、各種プログラムが記憶されている。
【００４３】
[クライアント]
クライアント４のブロック図を図３に示す。クライアント４は、ＣＰＵ４０、入力部４１、表示部４２、通信部４３、ＲＡＭ４４及び記憶部４５を備えて構成されており、データ管理サーバ２と同様の構成になっている。このため、その詳細な説明は省略する。
【００４４】
ＣＰＵ４０は、医用画像データＤ１を取得するための画像取得要求情報Ｄ１１（図６参照）をデータ管理サーバ２に送信して、データ管理サーバ２から医用画像データＤ１を受信する。また、読影医等のユーザに読影を行わせるために、表示部４２に医用画像データＤ１を表示させる。
【００４５】
また、ＣＰＵ４０は、医用画像ＤＢ３に記憶されている医用画像データＤ１の参照可否情報Ｄ７を再設定するために、該当する医用画像データＤ１の取得を要求するための変更通知情報Ｄ１５（図８参照）をデータ管理サーバ２に送信する。そして、医用画像データＤ１の参照可否情報Ｄ７の変更を要求するための変更要求情報Ｄ１６（図８参照）をデータ管理サーバ２に送信する。これらの具体的な動作については後述する。
【００４６】
画像取得要求情報Ｄ１１（図６参照）及び変更通知情報Ｄ１５（図８参照）は、「患者ＩＤ」、「検査ＩＤ」、「シリーズＩＤ」等の項目を有するデータである。
【００４７】
また、変更要求情報Ｄ１６（図８参照）は、「患者ＩＤ」、「検査ＩＤ」、「シリーズＩＤ」、「画像番号」、「参照可否」等の項目を有するデータである。ここで、「参照可否」とは、医用画像データＤ１の参照可否情報Ｄ７に対応する値であり、「ＯＮ」、「ＯＦＦ」の何れかの値となる。つまり、「参照可否」が「ＯＮ」の場合は、参照可否情報Ｄ７を「ＯＮ」にする。また、「参照可否」が「ＯＦＦ」の場合は、参照可否情報Ｄ７を「ＯＦＦ」にする。
【００４８】
画像取得要求情報Ｄ１１、変更通知情報Ｄ１５及び変更要求情報Ｄ１６に含まれるこれらの項目の値は、ユーザの入力操作に基づいて指定される。
【００４９】
[各装置間の動作]
次に、データ管理サーバ２がモダリティ５から受信した医用画像データＤ１の参照可否情報Ｄ７を設定し、当該参照可否情報Ｄ７に基づきユーザの参照の可否を制御する動作を図４〜図６を参照して説明する。
【００５０】
モダリティ５は、患者の撮影部位の撮影を行い、医用画像データＤ１を生成する（ステップＳ１）。そして生成した医用画像データＤ１を医用画像ＤＢ３に記憶させるため、データ管理サーバ２に送信する（ステップＳ２）。
【００５１】
技師等のユーザは、データ管理サーバ２上で検像操作を行う。データ管理サーバ２は、技師等のユーザの検像操作による入力部２１からの入力信号に基づいて、受信した医用画像データＤ１の参照可否情報Ｄ７のフラグを「ＯＮ」又は「ＯＦＦ」に設定し（ステップＳ３）、当該医用画像データＤ１を医用画像ＤＢ３に記憶させる（ステップＳ４）。
【００５２】
ステップＳ１〜Ｓ４の具体例を図５を参照して説明する。モダリティ５は、医用画像データＤ１ａ、Ｄ１ｂ、Ｄ１ｃを生成し、これらの医用画像データＤ１をデータ管理サーバ２に送信する。そして、技師等のユーザは、データ管理サーバ２において、医用画像データＤ１ａ、Ｄ１ｂを読影に適したデータ、医用画像データＤ１ｃを読影に適していないデータとして、検像操作を行う。
【００５３】
そして、データ管理サーバ２は、検像操作による入力部２１からの入力信号に基づいて、医用画像データＤ１ａ、Ｄ１ｂの参照可否情報Ｄ７を「ＯＮ」、医用画像データＤ１ｃの参照可否情報Ｄ７を「ＯＦＦ」に設定する。尚、検像操作による参照可否情報Ｄ７の設定前は、参照可否情報Ｄ７の値は、設定されていないとしてもよいし、「ＯＮ」であるとしてもよい。
【００５４】
次に、データ管理サーバ２は、医用画像データＤ１ａ、Ｄ１ｂ、Ｄ１ｃ全てを医用画像ＤＢ３に送信する。そして、医用画像ＤＢ３は、医用画像データＤ１ａ、Ｄ１ｂ、Ｄ１ｃを記憶する。
【００５５】
読影医等のユーザは、クライアント４上で読影を行う。クライアント４は、読影医等のユーザの読影による入力部４１からの入力信号に基づいて、画像取得要求情報Ｄ１１をデータ管理サーバ２に送信する（ステップＳ５）。
【００５６】
データ管理サーバ２は、画像取得要求情報Ｄ１１を受信すると、画像取得要求情報Ｄ１１の「患者ＩＤ」、「検査ＩＤ」、「シリーズＩＤ」の全てが一致する医用画像データＤ１を医用画像ＤＢ３から読み出す（ステップＳ６）。
【００５７】
そして、データ管理サーバ２は、読み出した医用画像データＤ１に含まれる付帯情報Ｄ２の参照可否情報Ｄ７に基づき、参照可能な医用画像データＤ１、即ち参照可否情報Ｄ７が「ＯＮ」である医用画像データＤ１を抽出する（ステップＳ７）。そして、抽出した医用画像データＤ１をクライアント４に送信する（ステップＳ８）。クライアント４は、受信した医用画像データＤ１をユーザの読影のため、表示部４２に表示する。
【００５８】
ステップＳ５〜Ｓ８の具体例を図６を参照して説明する。医用画像ＤＢ３は、医用画像データＤ１ａ、Ｄ１ｂ、Ｄ１ｃ、Ｄ１ｄを記憶している。読影医等のユーザは、患者ＩＤが「００２４Ａ」、検査ＩＤが「ＡＡ」、シリーズＩＤが「３」である医用画像データＤ１を読影したいとする。
【００５９】
クライアント４は、読影医等のユーザの読影による入力信号に基づいて、患者ＩＤが「００２４Ａ」、検査ＩＤが「ＡＡ」、シリーズＩＤが「３」である画像取得要求情報Ｄ１１をデータ管理サーバ２に送信する。
【００６０】
データ管理サーバ２は、画像取得要求情報Ｄ１１を受信すると、医用画像ＤＢ３に記憶されている医用画像データＤ１ａ、Ｄ１ｂ、Ｄ１ｃ、Ｄ１ｄの中から患者ＩＤが「００２４Ａ」、検査ＩＤが「ＡＡ」、シリーズＩＤが「３」である医用画像データＤ１ａ、Ｄ１ｂ、Ｄ１ｃを読み出す。
【００６１】
そして、データ管理サーバ２は、読み出した医用画像データＤ１ａ、Ｄ１ｂ、Ｄ１ｃの中から、参照可否情報Ｄ７が「ＯＮ」となっている医用画像データＤ１ａ、Ｄ１ｂを抽出し、クライアント４に送信する。そして、クライアント４は、当該医用画像データＤ１ａ、Ｄ１ｂを表示部４２に表示する。
【００６２】
このように、参照可否情報Ｄ７が「ＯＦＦ」となっている医用画像データＤ１ｃは、「患者ＩＤ」、「検査ＩＤ」、「シリーズＩＤ」の条件が画像取得要求信号Ｄ１１の各情報と一致していても、クライアント４には送信されず、ユーザにとっては、あたかも医用画像ＤＢ３に医用画像データＤ１ｃが記憶されていないように見える。
【００６３】
次に、読影医等のユーザがクライアント４から医用画像データＤ１の付帯情報Ｄ２に含まれる参照可否情報Ｄ７の値を変更する際の、データ管理サーバ２とクライアント４の具体的な動作を図７、図８を参照して説明する。
【００６４】
クライアント４は、ユーザの入力操作による入力部４１からの入力信号により、変更通知情報Ｄ１５をデータ管理サーバ２に送信する（ステップＳ１０１）。
【００６５】
データ管理サーバ２は、変更通知情報Ｄ１５を受信すると、医用画像ＤＢ３から変更通知情報Ｄ１５の「患者ＩＤ」、「検査ＩＤ」、「シリーズＩＤ」の全てが一致する医用画像データＤ１を医用画像ＤＢ３から読み出す（ステップＳ１０２）。
【００６６】
次に、データ管理サーバ２は、医用画像ＤＢ３から読み出した医用画像データＤ１を、参照可否情報Ｄ７の値に関わらず全て、クライアント４に送信する（ステップＳ１０３）。
【００６７】
次に、クライアント４は、受信した医用画像データＤ１を表示部４２に表示する。ユーザは、表示部４２に表示された医用画像データＤ１を見て、参照可否情報Ｄ７を変更したい医用画像データＤ１を入力操作によって入力部４１より指定する。
【００６８】
そして、クライアント４は、データ管理サーバ２に変更要求情報Ｄ１６を送信する（ステップＳ１０４）。データ管理サーバ２は、医用画像ＤＢ３に記憶されている医用画像データＤ１のうち、「患者ＩＤ」、「検査ＩＤ」、「シリーズＩＤ」、「画像番号」の全てが一致する医用画像データＤ１の参照可否情報Ｄ７を、変更要求情報Ｄ１６の「参照可否」に基づいて変更する（ステップＳ１０５）。
【００６９】
ステップＳ１０１〜Ｓ１０５の具体例を図８を参照して説明する。医用画像ＤＢ３は、医用画像データＤ１ａ、Ｄ１ｂ、Ｄ１ｃ、Ｄ１ｄを記憶している。クライアント４は、読影医等のユーザの入力操作による入力部４１からの入力信号に基づいて、患者ＩＤが「００２４Ａ」、検査ＩＤが「ＡＡ」、シリーズＩＤが「３」である変更通知情報Ｄ１５をデータ管理サーバ２に送信する。
【００７０】
データ管理サーバ２は、変更通知情報Ｄ１５を受信すると、医用画像ＤＢ３に記憶されている医用画像データＤ１ａ、Ｄ１ｂ、Ｄ１ｃ、Ｄ１ｄの中から患者ＩＤが「００２４Ａ」、検査ＩＤが「ＡＡ」、シリーズＩＤが「３」である医用画像データＤ１ａ、Ｄ１ｂ、Ｄ１ｃを読み出す。
【００７１】
そして、データ管理サーバ２は、医用画像データＤ１ａ、Ｄ１ｂ、Ｄ１ｃをクライアント４に送信する。そして、クライアント４は、当該医用画像データＤ１ａ、Ｄ１ｂ、Ｄ１ｃを表示部４２に表示する。
【００７２】
読影医等のユーザは、表示部４２に表示された医用画像データＤ１ａ、Ｄ１ｂ、Ｄ１ｃを見て、参照可否情報Ｄ７を変更したい医用画像データＤ１を入力操作によって入力部４１より指定する。本例において、ユーザは、医用画像データＤ１ｃの参照可否情報Ｄ７を「ＯＦＦ」から「ＯＮ」に変更したいとする。
【００７３】
そして、クライアント４は、読影医等のユーザの入力操作による入力部４１からの入力信号に基づいて、患者ＩＤが「００２４Ａ」、検査ＩＤが「ＡＡ」、シリーズＩＤが「３」、画像番号が「３」、参照可否が「ＯＮ」である変更要求情報Ｄ１６をデータ管理サーバ２に送信する。
【００７４】
データ管理サーバ２は、変更要求情報Ｄ１６を受信すると、医用画像ＤＢ３に記憶されている医用画像データＤ１ａ、Ｄ１ｂ、Ｄ１ｃ、Ｄ１ｄの中から患者ＩＤが「００２４Ａ」、検査ＩＤが「ＡＡ」、シリーズＩＤが「３」、画像番号が「３」である医用画像データＤ１ｃの参照可否情報Ｄ７を、「ＯＦＦ」から「ＯＮ」に変更する。
【００７５】
検像操作時に技師が、医用画像データＤ１ｃを読影に適していないデータと判断して、医用画像データＤ１ｃの参照可否情報Ｄ７が「ＯＦＦ」となっていても、読影医による入力操作により、クライアント４が変更通知情報Ｄ１５と変更要求情報Ｄ１６を送信することにより、データ管理サーバ２は、該当する医用画像ＤＢ３に記憶されている医用画像データＤ１の参照可否情報Ｄ７を「ＯＮ」に設定する。このため、読影医は、技師により読影に適していないと判断された医用画像データＤ１を参照することが可能となる。
【００７６】
以上、第１の実施の形態によれば、データ管理サーバ２は、検像操作による入力部２１からの指定に基づいて、モダリティ５から受信した医用画像データＤ１の付帯情報Ｄ２に含まれる参照可否情報Ｄ７を設定する。そして、その医用画像データＤ１を医用画像ＤＢ３に記憶させる。
【００７７】
そのため、データ管理サーバ２において、技師等のユーザによって読影に適したデータであると判断された医用画像データＤ１の参照可否情報Ｄ７を「ＯＮ」、読影に適していないデータであると判断された医用画像データＤ１の参照可否情報Ｄ７を「ＯＦＦ」として、全ての医用画像データＤ１をＰＡＣＳ１の医用画像ＤＢ３に記憶させることとなる。
【００７８】
よって、読影医等のユーザは、技師等のユーザによる検像操作により読影に適していないと判断された医用画像データＤ１の、クライアント４での参照が可能となる。
【００７９】
また、データ管理サーバ２は、参照可否情報Ｄ７に基づいてクライアント４に送信する医用画像データＤ１を抽出する。そのため、クライアント４における読影時に、ユーザは手作業で必要な医用画像データＤ１を抽出する手間が省ける。
【００８０】
尚、本実施の形態において、ＰＡＣＳ１を構成しているデータ管理サーバ２、クライアント４、医用画像ＤＢ３の機能を、データ管理サーバ２に全て持たせてもよい。
【００８１】
[第２の実施の形態]
以下、本発明の第２の実施の形態について、図９〜図１１を参照して詳細に説明する。
【００８２】
[システム構成]
図９は、ＰＡＣＳ１とモダリティ５と検像装置６とのシステム構成の一例を示すブロック図である。第１の実施の形態と異なる点は、データ管理サーバ２が有するユーザに検像操作を行わせる機能をＰＡＣＳ１のシステム外の検像装置６に持たせた点である。尚、第２の実施の形態の説明において、第１の実施の形態と異なる点を中心に説明する。
【００８３】
図９に示すように、クライアント４、データ管理サーバ２、モダリティ５及び検像装置６は、データ通信可能に通信ネットワークＮを介して接続されている。
【００８４】
モダリティ５は、生成した医用画像データＤ１を検像装置６に送信する。検像装置６は、ユーザに検像操作を行わせる装置であり、モダリティ５から送信された医用画像データＤ１の参照可否情報Ｄ７の設定等を行う。そして、検像装置６は、医用画像データＤ１をデータ管理サーバ２に送信する。
【００８５】
データ管理サーバ２は、検像装置６から医用画像データＤ１を受信すると、当該医用画像データＤ１を医用画像ＤＢ３に記憶させる。
【００８６】
[検像装置]
図１０に検像装置６の機能構成を示す。検像装置６は、ＣＰＵ６０、入力部６１、表示部６２、通信部６３、ＲＡＭ６４及び記憶部６５を備えて構成されている。また、各機能部はバス６６により接続されており、データ管理サーバ２、クライアント４と同様の構成になっている。
【００８７】
ＣＰＵ６０は、医用画像データＤ１の受信、参照可否情報Ｄ７の設定、当該医用画像データＤ１のデータ管理サーバ２への出力等の処理を行う。また、技師等のユーザは、表示部６２に表示される医用画像データＤ１を見て検像操作を行う。
【００８８】
[各装置間の動作]
次に、検像装置６がモダリティ５から受信した医用画像データＤ１の参照可否情報Ｄ７を設定し、データ管理サーバ２が当該参照可否情報Ｄ７に基づき、医用画像データＤ１に対するユーザの参照の可否を制御する動作を図１１を参照して説明する。
【００８９】
モダリティ５は患者の撮影部位の撮影を行い、医用画像データＤ１を生成し（ステップＳ２０１）、検像装置６に送信する（ステップＳ２０２）。
【００９０】
技師等のユーザは、検像装置６上で検像操作を行う。検像装置６は、技師等のユーザの検像操作による入力部６１からの入力信号に基づいて、受信した医用画像データＤ１の参照可否情報Ｄ７のフラグを「ＯＮ」又は「ＯＦＦ」に設定する（ステップＳ２０３）。そして、当該医用画像データＤ１をデータ管理サーバ２に送信する（ステップＳ２０４）。
【００９１】
データ管理サーバ２は、検像装置６から受信した医用画像データＤ１を医用画像ＤＢ３に記憶させる（ステップＳ２０５）。
【００９２】
読影医等のユーザは、クライアント４上で読影を行う。クライアント４は、読影医等のユーザによる入力部４１からの入力信号に基づいて、画像取得要求情報Ｄ１１をデータ管理サーバ２に送信する（ステップＳ２０６）。
【００９３】
データ管理サーバ２は、画像取得要求情報Ｄ１１を受信すると、画像取得要求情報Ｄ１１の「患者ＩＤ」、「検査ＩＤ」、「シリーズＩＤ」の全てが一致する医用画像データＤ１を医用画像ＤＢ３から読み出す（ステップＳ２０７）。
【００９４】
次に、データ管理サーバ２は、読み出した医用画像データＤ１に含まれる付帯情報Ｄ２の参照可否情報Ｄ７に基づき、参照可能な医用画像データＤ１、即ち参照可否情報Ｄ７が「ＯＮ」である医用画像データＤ１を抽出する（ステップＳ２０８）。そして、抽出した医用画像データＤ１をクライアント４に送信する（ステップＳ２０９）。クライアント４は、受信した医用画像データＤ１をユーザの読影等のため、表示部４２に表示する。
【００９５】
以上、第２の実施の形態によれば、検像装置６は、検像操作による入力部６１からの指定に基づいて、モダリティ５から受信した医用画像データＤ１の付帯情報Ｄ２に含まれる参照可否情報Ｄ７を設定する。そして、医用画像データＤ１をデータ管理サーバ２に送信する。
【００９６】
そのため、検像装置６において、技師等のユーザによって読影に適したデータであると判断された医用画像データＤ１の参照可否情報Ｄ７を「ＯＮ」、読影に適していないデータであると判断された医用画像データＤ１の参照可否情報Ｄ７を「ＯＦＦ」として、全ての医用画像データＤ１をＰＡＣＳ１の医用画像ＤＢに記憶させることとなる。
【００９７】
よって、検像操作により指定されなかった医用画像データＤ１のクライアント４におけるユーザによる参照が可能になる。
【図面の簡単な説明】
【００９８】
【図１】第１の実施の形態におけるシステム構成図である。
【図２】医用画像データのデータ構成図である。
【図３】データ管理サーバ・クライアントのブロック図である。
【図４】第１の実施の形態における検像操作時、読影時のシーケンス図である。
【図５】検像操作時のデータの概要図である。
【図６】読影時のデータの概要図である。
【図７】第１の実施の形態における参照可否情報変更時のシーケンス図である。
【図８】参照可否情報変更時のデータの概要図である。
【図９】第２の実施の形態におけるシステム構成図である。
【図１０】検像装置のブロック図である。
【図１１】第２の実施の形態におけるシーケンス図である。
【符号の説明】
【００９９】
１        ＰＡＣＳ
２        データ管理サーバ
３        医用画像ＤＢ
４        クライアント
５        モダリティ
６        検像装置
２０      ＣＰＵ
２１      入力部
２２      表示部
２３      通信部
２４      ＲＡＭ
２５      記憶部
２６      バス
４０      ＣＰＵ
４１      入力部
４２      表示部
４３      通信部
４４      ＲＡＭ
４５      記憶部
４６      バス
６０      ＣＰＵ
６１      入力部
６２      表示部
６３      通信部
６４      ＲＡＭ
６５      記憶部
６６      バス
Ｎ        通信ネットワーク
Ｄ１      医用画像データ
Ｄ２      付帯情報
Ｄ３      実画像データ
Ｄ４      患者情報
Ｄ５      検査情報
Ｄ６      シリーズ情報
Ｄ７      参照可否情報
Ｄ１１    画像取得要求情報
Ｄ１５    変更通知情報
Ｄ１６    変更要求情報
【図１】
2008295947.tif 000003
【図２】
2008295947.tif 000004
【図３】
2008295947.tif 000005
【図４】
2008295947.tif 000006
【図５】
2008295947.tif 000007
【図６】
2008295947.tif 000008
【図７】
2008295947.tif 000009
【図８】
2008295947.tif 000010
【図９】
2008295947.tif 000011
【図１０】
2008295947.tif 000012
【図１１】
2008295947.tif 000013